(57)【要約】【課題】湾曲板の変形を防止して、安定した音の再生又は収集を行う。【解決手段】一対の湾曲板の各々の凸面の一方の側部どうしの間で谷部６を形成した翼状振動部７を有する振動体１と、該振動体１の谷部６の深さ方向に沿う振動と該振動に対応する電気信号との変換を行う変換部２とを備え、谷部６を形成している側部どうしが接合されるとともに、その接合部１３は、谷部６の深さ方向と直交する方向に沿う断面が曲線形状に形成されている。【選択図】      図１
2017169006.tif 000002
【特許請求の範囲】
【請求項１】
一対の湾曲板の各々の凸面の一方の側部どうしの間で谷部を形成した翼状振動部を有する振動体と、該振動体の前記谷部の深さ方向に沿う振動と該振動に対応する電気信号との変換を行う変換部とを備え、前記谷部を形成している前記側部どうしが接合されるとともに、その接合部は、前記深さ方向と直交する方向に沿う断面が曲線形状に形成されていることを特徴とする電気音響変換器。
【請求項２】
前記曲線形状は、前記谷部の長さ方向の中心に対して点対称に設けられていることを特徴とする請求項１記載の電気音響変換器。
【請求項３】
前記変換部にアダプターキャップが取り付けられるとともに、該アダプターキャップに、前記接合部の曲線形状に対応する曲線形状の溝が形成され、該溝に前記接合部が嵌った状態で結合していることを特徴とする請求項１又は２記載の電気音響変換器。
【発明の詳細な説明】
【技術分野】
【０００１】
本発明は、音を再生するスピーカ又は音を収集するマイクロホンに好適な電気音響変換器に関する。
【背景技術】
【０００２】
一般的なダイナミックスピーカは、コーン状の振動体をボイスコイルモータで往復駆動するピストンモーションにより音を発するスピーカであり、低い周波数ではほぼ点音源として機能し、広い指向特性を有するが、振動体の口径と再生音の半波長がほぼ同等になる周波数以上の帯域では、指向性が鋭くなる。これに対してリッフェル型スピーカは、一対の長方形の湾曲板により振動体が構成され、中高音域での指向性が広く、また、振動板の湾曲方向に沿う横方向に音が広がり、縦方向にはほとんど広がらないという特性を有する。
【０００３】
このようなリッフェル型スピーカとして、従来、例えば特許文献１に開示されたものがある。この特許文献１には、高分子樹脂フィルムの中央部分にボイスコイルとしての導電体パターンをプリント形成し、その中央部分を折り返し加工して接着することによって、導電体パターンを有する平板状の部分と、湾曲形状の第１，第２の振動部とを一体化して備える振動体が形成されており、この振動体の平板状の部分は磁気回路内の磁気ギャップ内に配置され、両振動部の先端は支持部材に固定された構造のスピーカが開示されている。
【０００４】
また、特許文献２には、一対の湾曲板の一方の側部どうしを接合し、その間に谷部を形成した構造のリッフェル型スピーカのような振動体を有する電気音響変換器が開示されており、その振動体の接合部に、谷部の長さ方向に沿う補強具を取り付け、あるいは、アクチュエータの端部に溝付キャップを被せて、その溝に振動体の接合部を固定するなどの構造としている。このような構造とすることにより、アクチュエータの駆動力を谷部の全長にわたって安定して伝達されるようにしている。
【先行技術文献】
【特許文献】
【０００５】
【特許文献１】特開２００２‐７８０７９号公報
【特許文献２】特開２０１５−１０９５７８号公報
【発明の概要】
【発明が解決しようとする課題】
【０００６】
しかしながら、これら特許文献記載の振動体においては、谷部の長さ方向と直交する折り曲げ線に対する曲げ剛性（谷部の長さ方向と直交する軸心回りの曲げに対する剛性）は高いものの、谷部の長さ方向と平行な軸心回りの曲げに対しては剛性が低い。このため、谷部の長さ方向と平行な折り曲げ線に沿う曲げ（谷部の長さ方向と平行な軸心回りの曲げ）が作用すると湾曲板が変形し易いという問題がある。特に、スピーカの放音レベルが大きくなると、湾曲板の変形により出力に歪みが生じ易い。
【０００７】
本発明は、このような事情に鑑みてなされたもので、湾曲板の変形を防止して、安定した音の再生又は収集を行うことを目的とする。
【課題を解決するための手段】
【０００８】
本発明の電気音響変換器は、一対の湾曲板の各々の凸面の一方の側部どうしの間で谷部を形成した翼状振動部を有する振動体と、該振動体の前記谷部の深さ方向に沿う振動と該振動に対応する電気信号との変換を行う変換部とを備え、前記谷部を形成している前記側部どうしが接合されるとともに、その接合部は、前記深さ方向と直交する方向に沿う断面が曲線形状に形成されている。
【０００９】
この電気音響変換器は、振動体の接合部が曲線形状に形成されていることから、湾曲板の凸面も特に接合部付近では周方向に直交する方向と平行な断面が曲線形状となる。このため、湾曲板の周方向に直交する方向と平行な軸心回りの曲げに対する剛性が高くなり、湾曲板の変形が防止される。
【００１０】
本発明の電気音響変換器において、前記曲線形状は、前記谷部の長さ方向の中心に対して点対称に設けられているとよい。
谷部の長さ方向の中心に対して点対称の曲線形状としたので、対をなす湾曲板の凸面も対称な表面形状となり、湾曲板の各々の凸面による振動特性を損なうことが少ない。
【００１１】
本発明の電気音響変換器において、前記変換部にアダプターキャップが取り付けられるとともに、該アダプターキャップに、前記接合部の曲線形状に対応する曲線形状の溝が形成され、該溝に前記接合部が嵌った状態で結合しているとよい。
振動体の接合部及びアダプターキャップの溝が曲線形状に形成されているので、振動体がアダプターキャップの溝の長さ方向に位置ずれしにくく、振動体と変換部との位置決め精度を高めることができる。
【発明の効果】
【００１２】
本発明の電気音響変換器によれば、振動体の接合部を曲線形状に形成したので、谷部の長さ方向と直交する軸心回りの曲げだけでなく、湾曲板の周方向と直交する方向と平行な軸心回りの曲げに対しても剛性が高くなり、湾曲板の変形が防止される結果、安定して音の再生又は収集を行うことができる。
【図面の簡単な説明】
【００１３】
【図１】本発明の第１実施形態のスピーカ（電気音響変換器）の分解斜視図である。
【図２】図１のスピーカの組立状態を示す斜視図である。
【図３】図２のスピーカの正面図である。
【図４】図３における翼状振動部の軸心を通るＡ−Ａ線に沿う矢視断面図である。
【図５】振動体及びエッジ部の斜視図である。
【図６】図５の振動体の正面図である。
【図７】図６における翼状振動部の軸心を通るＢ−Ｂ線に沿う矢視断面図である。
【図８】図６における翼状振動部の軸心を通るＣ−Ｃ線に沿う矢視断面図である。
【図９】本発明の第２実施形態における振動体及びエッジ部を示す分解斜視図である。
【発明を実施するための形態】
【００１４】
以下、本発明の電気音響変換器をスピーカに適用した実施形態について図面を参照して説明する。
＜第１実施形態＞
図１〜図８は、本発明の第１実施形態のスピーカ（電気音響変換器の一例）を示す。
１．全体の構成
この実施形態のスピーカ１００は、振動体１と、この振動体１を往復駆動するアクチュエータ（変換部の一例）２と、これら振動体１及びアクチュエータ２を支持するための支持枠３と、振動体１を支持枠３に往復移動自在に支持するエッジ部４とを備えている。
なお、図１及び図２において、エッジ部４が設けられている側を上、アクチュエータ２が設けられている側を下とするように上下方向を設定し、後述する振動体１の翼状振動部における谷部６の全体としての長さ方向を縦方向、これと直交する方向を横方向とする。また、上方を向く面を表面、下方を向く面を裏面とし、さらに、図示したように、縦方向をｘ方向、横方向をｙ方向、上下方向をｚ方向と称する場合もあるものとする。
【００１５】
２．各部の構成
（１）振動体の構成
振動体１は、図５〜図８に拡大して示したように、一対の湾曲板１１が並列に形成されるとともに、隣接する湾曲板１１の一方の側部どうしの間（又は一対の湾曲板１１の凸面どうしの間）で谷部６を形成した表面形状を有する翼状振動部７と、この翼状振動部７の谷部６の両端を塞ぐとともに翼状振動部７の外周縁を囲むように外側に延びる円錐面状に形成されたコーン部８とを備えている。なお、一対の湾曲板１１は、筒形状の部材を、縦方向（筒部の軸方向）に分割して得られる複数の部材のうちの２つの部材によって構成されるものである。
図示例の翼状振動部７は、一対の湾曲板１１により構成されており、両湾曲板１１の谷部６を形成している側部どうしが接合された状態とされている。
また、一対の湾曲板１１によって形成される一対の凸面は、その凸となる方向を同じ表面側に向けて並列にかつ互いに向き合うように配置されている。言い換えれば、一対の湾曲板１１は、一対の湾曲板１１の一方の湾曲板の凸面と他方の湾曲板の凹面が互いに向き合うように配置されておらず、また、一対の湾曲板１１の一対の凹面どうしが互いに向き合うように配置されていない。一対の凸面の各々の一方の側部どうしが、一対の凸面の他方の側部どうしよりも互いに近接して配置されるか、または、一対の凸面の各々の他方の側部どうしが離間して配置され、一方の側部どうしが互いに接触して配置されることにより、一対の凸面の間に一方の側部近傍を底部とする谷部６が形成される。
そして、この谷部６を形成している側部どうしが接合され、接合部１３を形成している。図７に示すように、その接合部１３では、両湾曲板１１がわずかに間隔をあけて接合されており、この接合部１３に沿って、両湾曲板１１の間に、全体としては凸面の縦方向に沿う谷部６が形成されている。
この場合、接合部１３は、谷部６の深さ方向と直交する方向に沿う断面が曲線形状に形成されている。このため、谷部６も曲線形状に形成される。具体的には、図６に示すように、谷部６の長さ方向の中心位置（後述する翼状振動部７の軸心Ｍ）から谷部６の一方の端部までの間が一つの曲率半径Ｒの円弧状に形成され、中心位置から他方の端部までの間は、一方の端部までの間の円弧とは逆向きで同じ曲率半径Ｒの円弧状に形成されており、全体としては平面視が緩やかなＳ字状に形成されている。言い換えれば、接合部１３の曲線形状は、軸心Ｍを中心とする点対称に形成されている。
前述した谷部６の長さ方向（縦方向、ｘ方向）は、このＳ字状に湾曲した谷部６の両端間を結ぶ方向とする。
【００１６】
なお、湾曲板１１の凸面は、その周方向（横方向）に沿う断面では、必ずしも単一円弧でなくてもよく、複数の曲率を連続させたもの、放物線形状やスプライン曲線など曲率が一定ないし連続的に変化するもの、角筒状としたもの、階段状に複数の段差部を有する形状としたものなどを採用することができる。また本実施形態の凸面は、一方向（凸面の周方向：横方向）に湾曲し、その一方向と直交する方向（凸面の縦方向であり、湾曲板１１の軸方向）には、谷部の付近では、谷部が曲線形状に形成されていることにより、凸面もなだらかな曲線形状に形成され、谷部から離れるにしたがってほぼ直線形状となるように変化している。
【００１７】
コーン部８は、両湾曲板１１の接合部１３とは反対側の側部（端部）から延びるとともに、両湾曲板１１の谷部６の縦方向の両端を閉塞しており、全体として円錐面状に形成されている。翼状振動部７の湾曲板１１の外周縁は、図６に示すように、正面視では、谷部６を形成している側部とは反対側の側部が円弧状に形成されており、この湾曲板１１の円弧状の外周縁間を連結し、翼状振動部７の全周をほぼ囲むようにコーン部８が設けられ、コーン部８の外周縁が正面視で円形に形成される。そして、このコーン部８の外周縁がエッジ部４の内周縁に接続されている。
また、図６及び図７に示すように、翼状振動部７の谷部６（あるいは接合部１３）が、その全体としてはコーン部８の直径方向に沿って配置され、コーン部８の軸心上に谷部６の長さ方向の中心位置が配置された同軸状に一体化されている。この谷部６の長さ方向の中心を通る軸を翼状振動部７の軸心Ｍとし、この実施形態では翼状振動部７の軸心Ｍとコーン部８の軸心とは一致する。
コーン部８の軸心（翼状振動部７の軸心Ｍ）を通る断面では、この振動体１は、図４及び図７、図８に示すように、湾曲板１１の接合部１３を下側に配置すると、この接合部１３から高さ方向の大部分が翼状振動部７とされ、この翼状振動部７の上端の若干の高さの範囲にコーン部８が配置された形状とされる。
【００１８】
この振動体１は、その材質が限定されるものではなく、スピーカの振動板として一般的に用いられる合成樹脂、紙、金属等の材料を用いることができ、また、その成形方法も、樹脂フィルムの真空成形、射出成形、プレス成形等を採用することができ、例えば、ポリプロピレン、ポリエステル等の合成樹脂からなるフィルムを真空成形することにより、比較的容易に成形することができる。
この実施形態の振動体１は合成樹脂からなる１枚のフィルムを一体成形しており、その接合部１３は、フィルムの中央部を断面Ｕ字状に折り返す形状に成形して形成されている。
【００１９】
（２）振動体以外の各部の構成
アクチュエータ２は、例えばボイスコイルモータが用いられ、湾曲板１１の接合部１３に設けられたボイスコイル２０と、支持枠３に固定された磁石機構２１とにより構成される。ボイスコイル２０は、円筒状のボビン２０ａの回りにコイル２０ｂが巻回されたものである。
そして、このボイスコイル２０の上端部に、振動体１を接続状態に固定するためのアダプターキャップ４５が設けられている。このアダプターキャップ４５は、平面視では、ボイスコイル２０のボビン２０ａを嵌めこ込むことができる円形に形成されており、ボイスコイル２０のボビン２０ａの上端部に被せられた状態に固定され、図１にも示したように、上面に翼状振動部７の接合部１３を嵌める溝４６が直径方向に沿って形成されている。
振動体１は、その翼状振動部７の接合部１３がアダプターキャップ４５を介してボイスコイル２０のボビン２０ａに接続され、その接合部１３は、アダプターキャップ４５の溝４６に収容され、接着剤等によって固定されている。この場合、振動体１の接合部１３が曲線状に形成されているので、アダプターキャップ４５の溝４６も、接合部１３に対応した曲線状に形成され、その溝４６に接合部１３が緊密に嵌り合うようになっている。
【００２０】
そして、このボイスコイル２０の外周部がダンパー２２を介して支持枠３に支持されており、ボイスコイル２０は支持枠３に対してボイスコイル２０の軸方向に沿って往復移動自在である。ダンパー２２は一般的なダイナミックスピーカに用いられる材料のものを適用することができる。
【００２１】
磁石機構２１は、環状の磁石２３と、この磁石２３の一方の極に固定されたリング状のアウターヨーク２４と、他方の極に固定されたインナーヨーク２５とを備えており、インナーヨーク２５の中心のポール部２５ａの先端部がアウターヨーク２４内に配置されることにより、これらアウターヨーク２４とインナーヨーク２５との間に、環状に磁気ギャップ２６が形成され、この磁気ギャップ２６内にボイスコイル２０の端部が挿入状態に配置されている。
【００２２】
支持枠３は、例えば金属材により成形され、図１等に示す例では、矩形の枠状に形成されたフランジ部３０と、フランジ部３０の下方に延びる複数のアーム部３１と、これらアーム部３１の下端に形成された環状フレーム部３２とを備えている。そして、そのフランジ部３０の内周面は円周面に形成されており、その内側に、接合部１３を下方に向けて振動体１が配置され、振動体１のコーン部８がエッジ部４を介してフランジ部３０の上面に支持されている。したがって、エッジ部４は、振動体１のコーン部８に対応して円形リング状に形成される。このエッジ部４も、一般的なダイナミックスピーカに用いられている材料のものを適用することができる。
なお、谷部６の深さ方向における振動体１の変形し難さの度合い（剛性）が、谷部６の深さ方向におけるエッジ部４の変形し難さの度合い（剛性）よりも大きくなるように、振動体1及びエッジ部４が形成される。言い換えれば、振動体１及びエッジ部４は、振動体１が谷部６の深さ方向に振動する際に、振動体１の振動によって引き起こされる振動体１の変形量が、振動体１の振動によって引き起こされるエッジ部４の変形量よりも小さくなるように構成される。
本発明において、振動体１を振動可能に支持する支持部３５は、この実施形態では、支持枠３とエッジ部４によって構成されている。
なお、エッジ部４は、コーン部８の外周縁にエッジ部４の内周縁が固定され、支持枠３にエッジ部４の外周縁が固定されている。従って、エッジ部４は、振動体１の全体が上下方向へ振動することを許容しつつ、振動体１を支持している。
【００２３】
この支持枠３に振動体１を取り付けた状態において、湾曲板１１は、図４に示すように、上方に向けて凸となるように湾曲している。
なお、図１及び図２において符号３３は、ボイスコイル２０を外部に接続するための端子を示している。また、符号３４は、スピーカ１００を筐体等に固定するためのねじを通す取り付け孔を示しており、外縁がほぼ正方形状に形成されるフランジ部３０の四隅部にそれぞれ取り付け孔３４が設けられている。
【００２４】
３．動作
このように構成されたスピーカ１００は、振動体１に固定されたアクチュエータ２のボイスコイル２０に音声信号に応じた駆動電流が流れると、その駆動電流によって生じる磁束変化と、磁気ギャップ２６内の磁界とにより、ボイスコイル２０に駆動電流に応じた駆動力が作用し、磁界と直交する方向（ボイスコイル２０の軸方向、図４では矢印で示す上下方向）にボイスコイル２０を振動させる。これにより、このボイスコイル２０に接続されている振動体１が、翼状振動部７の谷部６の深さ方向（コーン部８の軸心方向）に沿って振動し、表面から再生音が放射される。
【００２５】
この場合、振動体１は、その高さ方向の大部分を構成するように配置された翼状振動部７と、その上側で限られた範囲に配置されたコーン部８とからなっており、その大部分を構成する翼状振動部７の湾曲板１１の凸面から放射される再生音が支配的になる。
このため、リッフェル型スピーカに用いられている振動板と同様に、湾曲板１１の凸面の周方向に沿う横方向への音の指向性が広く、縦方向には狭いという特性を有する。また、リッフェル型スピーカに用いられている振動板と同様に中高音域で広い指向性を有している。この場合、谷部６の両端が開放状態であると、振動体１により放射された音波の一部が、その開放された空間を通って湾曲板１１の裏面側に抜けていくが、コーン部８により谷部６の両端が塞がれた状態となっているので、音波の湾曲板１１の裏面側への抜けを防止し、振動体１の前面の全体から効率的に放音することができる。
しかも、振動体１は、コーン部８の外周縁部がエッジ部４により支持枠３に往復振動が可能なように支持されているので、接合部１３から外周縁部までの全体がアクチュエータ２によって一様に振動し、いわゆるピストンモーションによる振動が生じる。このため、ダイナミックスピーカと同様に、低音域においても高い音圧を有する。
すなわち、このスピーカ１００は、低い周波数域においては、コーン部８及び翼状振動部７が一体となったピストンモーションにより音が放射されると共に、再生周波数が高くなって振動体の振幅が小さくなるにしたがって、翼状振動部７からの放射音が支配的になり、高い周波数域でも広い指向性の音を再生する。
以上により、１本のスピーカユニットにより低音域から中高音域までの可聴帯域の全域で広い指向性で再生可能なフルレンジスピーカユニットを実現することができる。
【００２６】
このようなスピーカ１００において、振動体１は、接合部１３が曲線状に形成されていることから、湾曲板１１の凸面も単一の筒状面ではなく、特に谷部６に近い部分では縦方向（ｘ方向）と平行な断面形状が接合部１３と同様に曲線状に形成される。したがって、この縦方向（ｘ方向）と平行な折り曲げ線に対する曲げ剛性も高められている。
このように、このスピーカ１００の振動体１は、縦方向（ｘ方向）と直交する方向（ｙ方向）の折り曲げ線に対する曲げ剛性が高いのはもちろん、縦方向（ｘ方向）と平行な折り曲げ線に対する曲げ剛性も高いので、湾曲板１１の変形が少なく、したがって、大きい放音レベルでも出力に歪み等が生じることなく、安定して音を再生することができる。前述した谷部６の曲率半径Ｒの大きさは、振動体１に求められる剛性と、湾曲板１１の凸面形状による振動特性への影響とのバランスによって決められる。
また、振動体１とアクチュエータ２とは、アダプターキャップ４５を介して接続され、そのアダプターキャップ４５の溝４６も振動体１の接合部１３と同じように曲線状に形成され、これらが嵌り合った状態で固定されているので、これらの位置ずれが生じることがなく、コーン部８の軸心（翼状振動部７の軸心Ｍ）方向とボイスコイル２０の軸方向とを一致させた状態に確実に固定され、再生音を安定して放射することができる。
【００２７】
＜第２実施形態＞
翼状振動部７とコーン部８とからなる振動体を有する第1実施形態に対して、コーン部８を有しない翼状振動部のみからなる振動体とすることも可能である。図９に示す第２実施形態においては、翼状振動部５５として、平面視で長方形状の一対の湾曲板５６により凸面を形成し、その凸面の各々の側部どうしの間で谷部６を形成したものである。この場合、谷部６の両端部は谷部塞ぎ部５７により閉塞されており、これら谷部塞ぎ部５７及び湾曲板５６の谷部６とは反対側の縁部が矩形枠状のエッジ部５８の内周部に接合され、図示略の矩形枠状のフランジ部を有する支持枠に支持される。
そして、その接合部１３が谷部６の深さ方向と直交する方向に沿う断面が曲線形状に形成されている。この場合も、その曲線形状は、谷部６の長さ方向の中心位置（翼状振動部５５の軸心Ｍ）に対して、点対称となるように設けられている。
このように長方形状の湾曲板５６により形成される振動体においても、湾曲板５６の接合部１３を曲線形状に形成することにより、谷部６の長さ方向（湾曲板５６の周方向に直交する方向、ｘ方向）に平行な軸心回りの曲げに対する剛性が高くなり、湾曲板５６の変形が防止され、安定した振動を行わせることができる。
【００２８】
＜変形例＞
なお、本発明は、上記実施形態に限定されるものではなく、本発明の趣旨を逸脱しない範囲において種々の変更を加えることが可能である。
例えば、前述の実施形態では、接合部（又は谷部）の曲線形状を、翼状振動部の軸心Ｍから一方の端部間は一つの曲率半径の円弧状、他方の端部までの間は逆向きの円弧状に形成したが、三つ以上の円弧を交互に連結した波状の形状することも可能である。また、接合部（又は谷部）の全部を曲線形状とする場合だけでなく、その一部に直線形状を有するものも含まれ、例えば、長さ方向の中心部分は直線形状とし、両端部で曲線形状とすることもできる。いずれの場合も、谷部の長さ方向の中心（翼状振動部の軸心Ｍ）に対して点対称の形状とするのが好ましい。
【００２９】
また、前述の第１実施形態では、翼状振動部の外側を円錐面状のコーン部に連結し、そのコーン部の外周縁に円形リング状のエッジ部に接続したが、翼状振動部を谷部と直交する方向よりも谷部の長さ方向に長い形状とし、コーン部を翼状振動部の谷部の長さ方向に沿って長い楕円錐面状に形成して、エッジ部も楕円形のリング状に形成してもよい。また、コーン部は、一般的なダイナミックスピーカとして用いられる振動板であれば、円錐面状や楕円錘面状以外の形状でもよく、正面視で丸型や角型、あるいは角型に丸型を組み合わせた形状でもよく、全体として錐形状に形成されていればよい。翼状振動部の形状も、上記コーン部の形状に合わせて、適宜変更可能である。
【００３０】
また、振動体は、コーン部、翼状振動部を一体成形するのが好ましいが、これらを別々に成形して接合することも可能である。翼状振動部も１枚の板状材料として一体成形する場合以外に、２枚の湾曲板の一側部どうしを接着して形成してもよく、その接合部も、板状の材料をＵ字状に折り返すように形成した形態以外に、板状の材料をＶ字状に折り返すように形成した形態でもよいし、２枚の湾曲板の一側部どうしを所定幅で接着して帯板状に形成した形態としてもよい。また、帯板状の補強板あるいは補強ワイヤ等の補強部材を接合部に沿って固着して接合部を補強した形態等としてもよい。
【００３１】
また、振動体の裏面に振動面の剛性を補強するために、リブやブロック等を振動体の裏面に付加して固着してもよい。翼状振動部の放射面に対しては、湾曲板の凸面に横方向に沿って板状又は棒状のリブを設けることが可能である。この翼状振動部は、前述したように、凸面を再生音の放射面としているので、その凸面の周方向に沿う横方向への指向性は広いが、縦方向には狭いという特性を有しており、このため、凸面の放射面に横方向に沿って板状又は棒状のリブを設けたとしても、音響的な影響は少ない。
さらに、振動体を往復駆動する変換部として、ボイスコイルモータを適用したが、ボイスコイルモータに代えて、圧電素子等を用いてもよい。
【００３２】
また、上記実施形態ではいずれも本発明をスピーカに適用したが、本発明をマイクロホンに適用することも可能である。本発明をスピーカに適用する場合は、ボイスコイルモータ等の変換部が、音声信号に基づく電気信号を振動体の振動に変換するが、本発明をマイクロホンに適用する場合も、変換部としてボイスコイルモータ等を用いることができ、その場合の変換部は、音波を受けて振動する振動体の振動を電気信号に変換する。そして、本発明を適用したマイクロホンは、コーン部と翼状振動部における湾曲板の凸面とが振動面であり、その振動体の全体が一様に振動することにより、感度を維持しながら指向性が良好となり、低音域から高音域まで広い周波数帯域に亘って広い指向性で収音することができる。
【符号の説明】
【００３３】
１…振動体、２…アクチュエータ（変換部）、３…支持枠、４…エッジ部、６…谷部、７…翼状振動部、８…コーン部、１１…湾曲板、１３…接合部、２０…ボイスコイル、２０ａ…ボビン、２１…磁石機構、２２…ダンパー、２３…磁石、２４…アウターヨーク、２５…インナーヨーク、２５ａ…ポール部、２６…磁気ギャップ、３０…フランジ部、３１…アーム部、３２…環状フレーム部、３３…端子、３４…取り付け孔、４５…アダプターキャップ、４６…溝、５５…翼状振動部、５６…湾曲板、５７…谷部塞ぎ部、５８…エッジ部
【図１】
2017169006.tif 000003
【図２】
2017169006.tif 000004
【図３】
2017169006.tif 000005
【図４】
2017169006.tif 000006
【図５】
2017169006.tif 000007
【図６】
2017169006.tif 000008
【図７】
2017169006.tif 000009
【図８】
2017169006.tif 000010
【図９】
2017169006.tif 000011